(57)【要約】【課題】  監視対象物に貼付して、不正行為や異常などを検出することができ、しかも、繰り返し使用可能な監視シートを提供することである。【解決手段】  監視対象物に貼付して、上記監視対象物の振動を検出するための振動検出シートであって、シート状に形成した、電源部９、ＣＰＵ（central processing unit）４、無線発信部５、振動を検出する検出部３を備えるとともに、上記電源部は、上記ＣＰＵおよび無線発信部へ電源を供給する機能を備え、上記検出部は、振動を検出したとき、振動検出信号を上記ＣＰＵに対して出力する機能を備え、上記ＣＰＵは、上記検出部から入力された振動検出信号を上記無線発信部へ出力する機能を備え、上記無線発信部は、ＣＰＵから入力された信号を無線発信する機能を備えた。【選択図】  図３
2005228061.tif 000002
【特許請求の範囲】
【請求項１】
監視対象物に貼付して、上記監視対象物の振動を検出するための振動検出シートであって、シート状に形成した、電源部、ＣＰＵ（central processing unit）、無線発信部、振動を検出する検出部を備えるとともに、上記電源部は、上記ＣＰＵおよび無線発信部へ電源を供給する機能を備え、上記検出部は、振動を検出したとき、振動検出信号を上記ＣＰＵに対して出力する機能を備え、上記ＣＰＵは、上記検出部から入力された振動検出信号を上記無線発信部へ出力する機能を備え、上記無線発信部は、上記ＣＰＵから入力された信号を無線発信する機能を備えた監視シート。
【請求項２】
検出部が、圧電素子およびこの圧電素子に連係した錘を備えた請求項１に記載の監視シート。
【請求項３】
上記ＣＰＵが、シート固有のシートＩＤを記憶するとともに、ＣＰＵは、上記シートＩＤを上記無線発信部を介して出力する機能を備えた請求項１または２に記載の監視シート。
【請求項４】
上記ＣＰＵに接続したスイッチを設け、このスイッチからのオン信号が入力されときに、上記ＣＰＵは、自身が記憶しているシートＩＤを上記オン信号とともに、無線発信部に対して出力する機能を備えた請求項３に記載の監視シート。
【請求項５】
複数の検出部を同一シート状に設け、上記ＣＰＵは、各検出部から出力される振動検出信号を区別して出力する機能を備えた請求項１〜４のいずれか１に記載の監視シート。
【発明の詳細な説明】
【技術分野】
【０００１】
この発明は、監視対象物の振動を検出するための監視シートに関する。
【背景技術】
【０００２】
従来から、特定の物品の真偽を識別したり、偽造を防止したりするために、その物品のＩＤ（identification）を発信するＩＣタグなどの発信器と、このＩＣタグに問い合わせをして上記ＩＤを受信する質問器とを用いたシステムがあった。
上記ＩＣタグは、特定の物品に取り付けられ、自身が取り付けられた物品のＩＤを記憶するとともに、上記質問器からの問い合わせに応答して、上記ＩＤを発信するものである。
ところが、このようなシステムにおいては、ＩＣタグが、本来取り付けられるべき物品から取り外されて、別の、例えば偽物に取り付けられたり、ＩＣタグを取り付けたままで、物品の改造が行われたりしたような場合には、そのことを検出することができない。
【０００３】
そこで、上記ＩＣタグの代わりに、特許文献１に示すような応答器付き封印用シールが考えられていた。
この封印用シールは、例えば、開けてはいけないような扉の封印用として使われる。この場合に、その扉を不正に開けるときには、当然のこととして封印用シールを剥がし取らなければならなくなる。しかし、当該封印用シールが剥がし取られたときには、ほとんどの場合そのシールが破断されて、発信機能が発揮されなくなるようにしている。ただし、封印用シールが剥がし取られたときには、異常な事態が発生したものと考えることができる。そのためにシールが剥がし取られて破断したときには、積極的に発信機能が発揮されないようにして、異常事態の発生を監視できるようにしている。
【特許文献１】特許第３２１１１６８号公報
【発明の開示】
【発明が解決しようとする課題】
【０００４】
上記のような封印用シールは、異常事態のもとで破壊されてしまうと、それを二度と使えなくなる。
このようにした封印用シールは、例えば、パチンコ台などの遊技機の制御基盤が不正に取り替えられるようなことを防止するために、制御基盤ボックスの開閉部に当該シールを貼付する。ところが、不正を防止する目的で封印用シールを貼ってしまうと、制御基盤ボックスを正規の作業者が開ける場合にも、その封印用シールを剥がし取らなければならない。しかしながら、前記したように、シールを一旦剥がし取ってしまうと、そのシールを再利用できなくなってしまうという問題があった。
また、監視対象物に貼付された上記封印用シールを破壊しないように剥がした場合には、それを検出できない。
さらに、上記封印用シールを剥がすことなく、監視対象物を破壊したり、直接、何らかの細工をした場合にも、それを検出できないという問題があった。
【０００５】
この発明の目的は、監視対象物に貼付して、不正行為や異常などを検出することができ、しかも、繰り返し使用可能な監視シートを提供することである。
【課題を解決するための手段】
【０００６】
第１の発明は、監視対象物に貼付して、上記監視対象物の振動を検出するための振動検出シートであって、シート状に形成した、電源部、ＣＰＵ（central processing unit）、無線発信部、振動を検出する検出部を備えるとともに、上記電源部は、上記ＣＰＵおよび無線発信部へ電源を供給する機能を備え、上記検出部は、振動を検出したとき、振動検出信号を上記ＣＰＵに対して出力する機能を備え、上記ＣＰＵは、上記検出部から入力された振動検出信号を上記無線発信部へ出力する機能を備え、上記無線発信部は、上記ＣＰＵから入力された信号を無線発信する機能を備えた点に特徴を有する。
【０００７】
第２の発明は、上記第１の発明の検出部が、圧電素子およびこの圧電素子に連係した錘を備えた点に特徴を有する。
第３の発明は、上記ＣＰＵが、シート固有のシートＩＤを記憶するとともに、ＣＰＵは、上記シートＩＤを上記無線発信部を介して出力する機能を備えた点に特徴を有する。
【０００８】
第４の発明は、上記第３の発明を前提とし、上記ＣＰＵに接続したスイッチを設け、このスイッチからのオン信号が入力されときに、上記ＣＰＵは、自身が記憶しているシートＩＤを上記オン信号とともに、無線発信部に対して出力する機能を備えた点に特徴を有する。
【０００９】
第５の発明は、上記各発明を前提とし、複数の検出部を同一シート状に設け、上記ＣＰＵは、各検出部から出力される振動検出信号を区別して出力する機能を備えた点に特徴を有する。
【発明の効果】
【００１０】
第１から第４の発明の監視シートは、監視対象物に貼付して、監視対象物の振動を検出して、その振動検出信号を発信することができる。
この監視シートを、例えば、監視対象物に対して不正な操作しようとしたときに、振動を検知する位置に貼付しておけば、不正行為や異常を検出することができる。
しかも、このような不正行為や異常の検出は、振動検出によって行い、従来のように、シートを破壊させることによって不正を検出するのではないため、一度、不正や異常を検出した監視シートを、繰り返し使用することができる。
従って、監視シートを利用するためのコストを低く抑えることができる。
また、監視シートを直接破壊するような場合だけでなく、これを貼付された監視対象物に対して、直接、不正行為を行った場合にも、振動を検出することによって、不正行為を検出することができる。
【００１１】
特に、第２の発明によれば、単純な構成で、精度良く振動を検出することができる。
また、第３の発明によれば、監視シート固有のＩＤによって、受信側では、振動検出信号の発信元である監視シートや、監視対象物を特定することができるようになる。
さらに、第４の発明によれば、例えば、監視シートの貼付時に、シートと監視対象物との対応付けが簡単にできる。
第５の発明によれば、個々の検出部から出力された振動検出信号の振動パターンによって、監視対象物の状況を、より詳細に推測することが可能になる。
【発明を実施するための最良の形態】
【００１２】
図１〜図６に示す第１実施例は、遊技場に設置された遊技台１に組み込まれた制御基盤を不正に取り替えられることがないように、この発明の監視シート２を用いて監視する例である。
図２に示すように、遊技台１の背面には、遊技台１内に組み込んだ制御基盤を覆うための基盤カバー１１を固定ネジ１２で固定している。そして、この基盤カバー１１と遊技台１の背面とに渡して、上記監視シート２を貼り付けている。
従って、上記基盤カバー１１を開けるためには、監視シート２を剥がさなければならず、そのときには、上記検出部３が、振動を検出するようにしている。つまり、この第１実施例では、上記基盤カバー１１および遊技台１が、この発明の監視対象物に当たる。
【００１３】
また、上記監視シート２は、図１に示すように、振動を検出する検出部３と、シート側処理部４と無線発信部５とを備えている。そして、この監視シート２は、図３に示すように、シート状の第１検出部３ａと第２検出部３ｂ上に、この発明のＣＰＵであるシート側処理部４、無線発信部５、電源部９を積層している。上記第１、第２検出部３ａ，３ｂは、それぞれ、シート状に形成したピエゾ素子などの圧電素子に錘を連係させたものであり、振動を検出して、それを振動検出信号として出力する。これら第１、第２検出部３ａ，３ｂを図１では、検出部３として示している。
ただし、振動を検出する検出部３としては、圧電素子の代わりに、加速度センサなど、物体の移動を検出するセンサに、錘を連係させた構成を利用することもできる。
【００１４】
また、上記検出部３ａ，３ｂ上に積層した各構成要素も、薄膜状に形成したものである。
なお、上記電源部９は、薄型の電池や、外部電波によって電力が誘起される電源回路等であり、シート側処理部４や無線発信部５を動作させるための電源である。
監視対象物に上記シートを貼付した後、電池寿命以降も使用することを想定すると、監視対象物に貼付した状態で、電池交換が容易にできる必要がある。この場合、シートの内部回路に対して不正が行われないように、電池取付部を内部回路から隔てて設けた方が良い。また、貼付されたシート内の電池を、電磁誘導、電波、音波、振動等より、充電できるようにしてもよい。
さらに、監視シート２の片面には、接着剤を塗布した接着剤層１０を設けている。そして、この接着剤層１０によって監視シート２を基盤カバー１１から上記遊技台１に渡して貼り付ける。
【００１５】
上記シート側処理部４は、検出部３からの検出信号を受信したときに、その信号を無線発信部５から発信させる機能を備え、上記無線発信部５は、上記シート側処理部４の制御に従って必要な信号を発信する機能を備えている。
また、遊技台１とは別であって、上記無線発信部５から発信される信号を受信可能な位置に、受信部６を設けるとともに、この受信部６には、メイン処理部７を接続している。
さらに、メイン処理部７には、メイン記憶部８を接続している。このメイン記憶部８には、遊技台１の基盤カバー１１を開けて、内部の制御基盤の調整や交換を許可された特定の作業者の作業者ＩＤを記憶している。そして、上記特定の作業者は、作業者ＩＤ（identification）を記憶したＩＣタグＴを携帯し、上記受信部６は、このＩＣタグＴからＩＤを読み取る機能を備えている。
【００１６】
上記ＩＣタグＴは、内蔵したＩＣ（integrated circuit）に、作業者ＩＤを記憶するメモリと、記憶情報を発信するための発信回路とを備えている。そして、この発信回路は、上記受信部６から発信される電波によって駆動電源を供給されるようにしている。
上記のように、受信部６は、ＩＣタグＴに対して給電し、給電したＩＣタグＴから発信されたＩＤ信号を受信して、それを、メイン処理部７に対して出力する機能を備えている。
【００１７】
従って、上記受信部６は、遊技台１に固定した監視シート２からの無線信号を受信可能な位置であって、しかも、遊技台１に近づいた作業者のＩＣタグＴからＩＤを読み取ることが可能な位置に設置しなければならない。これに対し、上記メイン処理部７およびメイン記憶部８は、受信部６と接続できれば、どこに設置してもかまわないし、メイン処理部７には、複数の受信部６を接続してもよい。
【００１８】
以下に、この第１実施例において、上記基盤カバー１１が開けられそうになったときに、それを検出する手順を説明する。
なお、作業者が携帯しているＩＣタグＴは、上記受信部６からの問い合わせに応じて所定の間隔で、ＩＣタグＴが記憶しているＩＤデータを発信するようにしている。ただし、上記受信部６からの問い合わせがなくてもＩＣタグＴが、自身のＩＤデータを所定間隔で発信するようにしてもよい。また、振動が検出されたときに、IDデータを出力するようにしてもよい。
【００１９】
そして、上記基盤カバー１１を開けるためには、このカバー１１に貼り付けられた監視シート２を剥がさなければならない。監視シート２が剥がされると、監視シート２内の検出部３が振動を検出してその振動検出信号をシート側処理部４へ出力する。シート側処理部４は、上記振動検出信号を、無線発信部５を介して、上記受信部６に対し発信する。
【００２０】
受信部６は受信した振動検出信号をメイン処理部７へ入力する。
メイン処理部７は、上記振動検出信号を受信し、上記監視シート２に対して振動が与えられたことを認識するとともに、その時点で、上記受信部６を介してＩＣタグＴからのＩＤ信号が入力されているかどうかを判断し、ＩＤ信号が入力されていなかった場合には、アラーム動作信号を、図示しないアラーム装置へ出力し、警報を発生させる。
上記メイン処理部７に、監視シート２からの振動検出信号が入力されたのに、ＩＤ信号が入力されないということは、ＩＣタグＴを持たない者、つまり、基盤カバー１１の開閉を許可されていない者が、基盤カバー１１を開けたということになる。従って、メイン処理部７は、警報を発生させるように、アラーム動作信号を出力する。
【００２１】
また、メイン処理部７に、監視シート２からの振動検出信号が入力され、かつ、受信部６からＩＤ信号が入力されたときには、メイン処理部７は、入力されたＩＤ信号に基づいて、そのＩＤ信号が、基盤カバー１１の開閉を許可された者のＩＤかどうかを判断する。
具体的には、上記メイン処理部７は、上記受信部６から入力されたＩＤ信号を一時的に記憶するとともに、そのＩＤ信号と上記メイン記憶部８が記憶している特定のＩＤである基盤カバー１１の開閉を許可された作業者の作業者ＩＤとを対比する。
【００２２】
そして、上記受信部６から入力されたＩＤ信号が、メイン記憶部８が記憶している基盤カバー１１の開閉を許可された作業者ＩＤに対応しなかった場合に、アラーム動作信号を出力する。
つまり、メイン処理部７は、ＩＤ信号が検出できない状態で基盤カバー１１が開けられた場合と、検出されたＩＤが基盤カバー１１の開閉を許可された作業者のものでない場合とに、アラーム装置に対してアラーム動作信号を出力して、不正を知らせるようにしている。
また、ＩＤ信号を受信した場合には、基盤カバー１１の開閉時刻や、基盤カバー１１が開いていた時間などを特定し、これらのデータを、作業者のＩＤに対応付けて、基盤カバー１１の開閉履歴としてメイン記憶部８に記憶させるようにすることもできる。
【００２３】
上記のような監視システムでは、監視動作である基盤カバー１１を開ける動作を行ったかどうかを、監視対象物の振動として検出するため、従来のように、監視シートの機能を破壊する必要がない。従って、監視対象物に貼付して、振動を検出した監視シート２は、再度、振動を検出することができる。また、１枚の監視シート２を、別の、監視対象物に貼り直して使用することもできる。
つまり、この発明の監視シートは、従来の封印用シールのように、使い捨てにしないので、これを使用するシステムのコストを低く抑えることができる。
また、監視シート２を剥がさないで、基盤カバー１１を叩き割ったりした場合にも、監視シート２がその振動を検出して、振動検出信号を出力するので、上記メイン処理部７が、アラーム動作信号を出力し、異常を知らせることができる。
【００２４】
また、この第１実施例では、１枚の監視シート２内に、２つの検出部３ａ，３ｂを備えている。各検出部３ａ，３ｂの検出信号を別々に検出すれば、これらの検出パターンから、振動の種類を分類し、不正行為かどうかの判断をすることもできる。
例えば、図４に示すように、貼り付けられた監視シート２の角をつまんで矢印方向に剥がそうとした場合、検出部３のうち、第１検出部３ａが先に振動を検出して検出信号を出力し、次いで第２検出部３ｂが振動を検出して検出信号を出力する。
このように、第１、第２検出部３ａ，３ｂが振動を検出して、その振動検出信号を、時間差を保って出力した場合、メイン処理部７が受信した振動検出信号は、図５のように表すことができる。図５は、横軸を時間軸として、メイン処理部７が受信した信号波形を示したグラフであり、第１検出部３ａからの出力は、信号ａ、第２検出部３ｂからの出力は信号ｂである。
【００２５】
図５のように、２つの検出部３ａ，３ｂから出力される信号ａ，ｂから、信号検出の時刻に差が有る場合には、図４に示すように、監視シート２を端から剥がしたり、貼り付けたままの状態で、基盤カバー１１を開けて、監視シート２を破壊したりしたような場合である。このような状況のときに、ＩＤ信号が入力されなかったり、入力されたＩＤ信号に一致するＩＤがメイン記憶部８に記憶されていなかったりした場合には、不正が行われた可能性が高いので、メイン処理部７は、アラーム動作信号を出力する。
【００２６】
一方、第１検出部３ａと第２検出部３ｂからの信号出力タイミングが一致していた場合、例えば、図６に示す場合には、これらの信号を受信したメイン処理部７は、監視シート２が破壊されたのではなく、例えば、遊技台１全体の振動が、監視シート２で検出されたと判断できる。
このような、遊技台１全体の振動には、さまざまな原因が考えられる。例えば、遊技者のハンドル操作、遊技媒体の投入、ガラス扉の開閉のように、不正とは関係ない原因もあるし、わざと、遊技台１を叩いたりした場合の振動もある。
【００２７】
ただし、上記のように、通常の遊技中に発生する振動は、その振幅が小さいので、メイン処理部７で、それを区別して無視することもできる。予め、振幅の基準レベルを設定し、その基準レベルを超えた振幅の振動検出信号を受信した場合にのみ、異常と認識して、上記のように、ＩＤ信号の有無の判断や、メイン記憶部８が記憶しているＩＤとの対比などを行うようにすれば、やたらにアラーム動作信号が出力されることがなくなる。
そして、上記監視シート２は、監視対象物から剥がされなくても、遊技台１や基盤カバー１１が叩かれた場合などには、振動検出信号を出力し、メイン処理部７では、上記検出信号の振幅が上記基準レベルを超えたときには、異常と判定することができる。
【００２８】
図７に示す第２実施例は、監視シート２内に、シート側記憶部１３を設けている点が上記第１実施例と異なるが、その他は、第１実施例と同じである。
このシート側記憶部１３には、監視シート２に個別に付けられたシートＩＤを記憶している。つまり、この第２実施例においては、上記シート側処理部４とシート側記憶部１３とによって、この発明のＣＰＵを構成している。
そして、シート側処理部４は、上記シートＩＤを、検出部３から出力された振動検出信号とともに無線発信部５を介して発信するようにしている。
【００２９】
従って、メイン処理部７は、受信部６を介して上記振動検出信号を受信したとき、それとともに入力された上記シートＩＤに基づいて、上記振動検出信号が、どの監視シート２から出力されたのかを判断することもできる。
そして、メイン記憶部８に、上記監視シート２の貼付場所である遊技台１と上記シートＩＤとの対応テーブルを記憶させておけば、メイン処理部７は、この対応テーブルに基づいて、上記振動検出信号が検出された遊技台１を特定することができる。
【００３０】
例えば、上記監視シート２が破壊されて大きな振動が検出されたようなときには、どの遊技台１からの検出信号であるのかが分からなくても、メイン処理部７が、アラーム動作信号を出力して警報を発生させて、基盤に対する不正行為を防止することはできる。しかし、遊技台１が特定できれば、特定の遊技台の履歴として自動的に記録を残すこともできるし、アラーム動作信号が出力された時点で、その場に駆けつけることもできる。
なお、上記シートＩＤは、シート固有のＩＤであるが、監視シート２を貼り付ける際に、その監視シート２のシート側記憶部１３に、遊技台を特定するための台番号などを上記固有のＩＤとして記憶させておくようにすれば、遊技台の特定が、より簡単にできるようになる。
【００３１】
一方、上記受信部６と遊技台１とを１対１に対応付けておけば、メイン処理部７は、受信部６を特定するための受信部６のＩＤを受信して、遊技台１を特定することができるが、１つの受信部６が、複数の監視シート２からの信号を受信するように構成した場合には、受信部６のＩＤに基づいて、ひとつの遊技台１を特定することは困難である。このような場合にも、上記のように、遊技台１に貼付した監視シート２のシートＩＤと遊技台１とを対応させておけば、シートＩＤから遊技台１を特定することが可能になる。従って、１つの受信部６を複数の監視シート２からの検出信号を受信するために用いることができる。
【００３２】
図８，図９に示す第３実施例は、監視シート２内に、シート側処理部４に接続したスイッチ１４を設けている点が、上記第２実施例と異なるが、その他の構成は、上記第２実施例と同じである。
すなわち、監視シート２の検出部３が振動を検出して、無線発信部５を介して振動検出信号を発信すると、メイン処理部７は、受信部６を介して上記振動検出信号を受信する。メイン処理部７は、そのときに作業者ＩＤが入力されなかった場合には、アラーム動作信号を図示しないアラーム装置に対して出力する。また、上記振動検出信号とともに、ＩＤ信号が入力されたとしても、そのＩＤ信号に一致する作業員のＩＤがメイン記憶部８に記憶されていなかった場合にも、アラーム動作信号を出力する。この点は、上記他の実施例と同じ作用である。
【００３３】
ただし、この第３実施例においては、特定の監視シート２を監視対象物である遊技台１の基盤カバー１１に取り付ける際に、監視シート２と遊技台１との対応関係を設定できるようにしている。
そして、上記監視シート２内のスイッチ１４は、シート側処理部４に接続していて、シート側処理部４は、スイッチ１４のオン信号が入力されると、シート側記憶部１３が記憶しているシートＩＤを取り出して、無線発信部５から受信部６へ向けて発信する機能を備えている。
また、メイン処理部７は、受信部６を介して、上記シートＩＤを受信したら、それと台番号とを対応付けるための、シート設置画面を作成して、出力する機能と、この設置画面をメイン記憶部８に記憶させる機能とを備えている。
【００３４】
以下に、監視シート２を遊技台１の基盤カバー１１に取り付ける際に、シートＩＤと遊技台１の台番号とを対応付ける手順を説明する。
監視シート２の設置担当者は、上記受信部６を介してメイン処理部７にアクセス可能な通信機能を備えたＰＤＡ（personal digital assistants）１５を携帯する。
そして、上記設置担当者は、監視シート２を遊技台１に貼り付けたら、スイッチ１４を押し、監視シート２からシートＩＤを発信させるとともに、携帯しているＰＤＡ１５によって、メイン処理部７へアクセスする。なお、上記ＰＤＡ１５は、上記メイン処理部７にアクセスする際には、自身が保持している作業者ＩＤを自動的に送信するようにしている。
【００３５】
メイン処理部７は、受信部６を介して受信したシートＩＤと、上記ＰＤＡ１５から発信された作業者ＩＤとを受信したら、ＰＤＡ１５に、図１に示す設置画面１６を表示させる。この設置画面１６には、シートＩＤ欄１７、台番号欄１８、作業者ＩＤ欄１９が設けられている。上記シートＩＤ欄１７には、監視シート２から発信されたシートＩＤを表示し、作業者ＩＤ欄１９には、ＰＤＡ１５から発信された作業者ＩＤを表示させる。この作業者ＩＤは、監視シート２を設置した担当者を特定する際に利用できるものであるが、特に、このシステムにおいて、振動を検出する動作には、関わりがない。
なお、ＰＤＡ１５からは、作業者ＩＤの代わりにＰＤＡのＩＤを発信するようにしても、そのＰＤＡ１５の使用者が分かれば、監視シート２の設置者を特定することができる。
また、作業者が、自分のＩＤを記憶させてＩＣタグを携帯し、このＩＣタグから上記受信部６が、ＩＣタグから作業者ＩＤを読み取るようにしてもよい。
【００３６】
さらに、図９の台番号欄１８は、ＰＤＡ１５から台番号を入力するための入力欄で、設置担当者が、上記監視シート２を貼り付けた遊技台１の台番号を手入力するようにしている。
そして、上記ＰＤＡ１５からは、表示された設置画面１６内の、シートＩＤや作業者ＩＤなどを修正することもできるようにしている。
なお、ここでは、遊技台の台番号は、ＰＤＡ１５から、手入力するようにしているが、遊技台１と受信部６との対応関係が、メイン記憶部８に記憶されていれば、メイン処理部７が、信号を受信した際に、受信部６を特定して、自動的に遊技台１を特定することもできる。
【００３７】
このように、メイン処理部７が、受信部６から遊技台１を自動的に特定できれば、上記のように、ＰＤＡ１５に設置画面１６を表示させる際に、台番号欄１８に、台番号を自動的にあてはめて表示させることもできる。
そして、必要に応じて、設置担当者が修正し、メイン処理部７は、完成した設置画面１６のシートＩＤと台番号との対応関係をメイン記憶部８に記憶させる。
このようにして、メイン記憶部８には、シートＩＤと台番号との対応テーブルが記憶されるので、監視シート２の検出部３が振動を検出した際に、メイン処理部７では、対応する遊技台を特定することができるようになる。
【００３８】
以上のように、この発明の監視シート２を用いれば、監視対象物の振動を検出して、特定の動作を検出することができる。しかも、異常などを検出するたびに、破壊される従来の封印シールとは異なり、この監視シートは、繰り返し使用することができるので、コストを抑えることができる。
また、上記監視シート２は、自身が剥がされなくても、それを貼り付けた遊技台１や基盤カバー１１に衝撃が加えられれば、その振動を検出することができる。
【００３９】
さらに、振動検出信号の出力パターンや、信号の大きさなどによって、監視対象物で発生している状況を推測することもできる。これに対し、従来の封印シールでは、シールが破壊されたということだけが分かり、どのような状況で破壊されたのかということを推測するすべがなかった。
なお、上記各実施例において、アラーム動作信号の出力先は、アラーム装置に限らず、監視対象機器であってもよい。例えば、不正の疑いのある遊技台などの監視対象機器に対して、上記アラーム動作信号によってその後の動作を停止させるようにしてもよい。
【図面の簡単な説明】
【００４０】
【図１】第１実施例の監視シートを用いたシステムの構成図である。
【図２】第１実施例における監視シートの貼付状況を示した拡大図である。
【図３】第１実施例の監視シートの構成図である。
【図４】第１実施例の監視シートが剥がされる状態を示した説明図である。
【図５】第１実施例の監視シートから出力される振動信号の出力例を示したグラフである。
【図６】第１実施例の監視シートから出力される振動信号の出力例を示したグラフである。
【図７】第２実施例の監視シートを用いたシステムの構成図である。
【図８】第３実施例の監視シートを用いたシステムの構成図である。
【図９】第３実施例の監視シートを貼付する際に用いる設置画面である。
【符号の説明】
【００４１】
２      監視シート
３      検出部
３ａ    第１検出部
３ｂ    第２検出部
４      シート側処理部
５      無線発信部
９      電源部
１３    シート側記憶部
１４    スイッチ
【図１】
2005228061.tif 000003
【図２】
2005228061.tif 000004
【図３】
2005228061.tif 000005
【図４】
2005228061.tif 000006
【図５】
2005228061.tif 000007
【図６】
2005228061.tif 000008
【図７】
2005228061.tif 000009
【図８】
2005228061.tif 000010
【図９】
2005228061.tif 000011